(57)【要約】【課題】  被結束物が容易に結束でき、非力な女性にでも確実に結束することができ、しかも何度でも繰り返し使用することのできる結束補助器具を提供することを目的とする。【解決手段】  円周部位を隆起させた隆起部位を有する皿状の部材であって、前記隆起部位の対抗する箇所にその形状を同一とする第１切込溝と第２切込溝を設けるとともに、第１切込溝と第２切込溝を結ぶ線上と直交する前期隆起部位に第３切込溝と第４切込溝を形成する。【選択図】  図１
2013060203.tif 000002
【特許請求の範囲】
【請求項１】
円周部位を隆起させた隆起部位を有する皿状の部材であって、前記隆起部位の対抗する箇所にその形状を同一とする第１切込溝と第２切込溝を設けるとともに、第１切込溝と第２切込溝を結ぶ線上と直交する前期隆起部位に第３切込溝と第４切込溝を形成することを特徴とする結束補助器具。
【発明の詳細な説明】
【技術分野】
【０００１】
本発明は、新聞紙、雑誌、ダンボール等（以下「結束物」という）を紐で結束する時に使用する結束補助器具に関する。
【背景技術】
【０００２】
新聞紙、雑誌、チラシ、ダンボール、布団及び衣類等の被結束物が、ある程度まとまった段階で、資源ゴミ或いは可燃ゴミとしてゴミ集積所等に搬出することになるが、その際に新聞等がバラバラになっていると収集不可となるため、ある程度の量を纏めてから結束して出すのが一般的である。
【０００３】
一方、前記新聞紙、雑誌、チラシ、ダンボール、布団及び衣類等の被結束物を紐かけする場合は、紙製の紐等では床面に置いても巻き癖が着いて丸まってしまうことから、紐かけに労力を要することが多く、また、非力な女性にあっては、結束した被結束物の紐が緩すぎて運ぶ際に崩れてしまうという不具合があった。
【０００４】
そこで、前記新聞紙、雑誌等の被結束物を紐で結束する際の補助具的なものが開発されている。
特許文献１には、結束補助具として、軟質プレートの中心点より４方向直角放射状位置の外報端部分に、紐を貫通する小孔をそれぞれ穿設し、軟質プレートの４方向直角放射状位置の端縁部から各小孔に達するスリットをそれぞれ設ける手段が開示されている。
【０００５】
また、特許文献２には、長方形のプレート部の四隅に、紐をセットする立方体部を設けて、立方体部と立方体部の間に紐を通す空間部を設ける新聞紙・雑誌等紐十字縛り台が開示されている。
【０００６】
また、特許文献３には、厚紙やプラスチックを加工した平板に紐を掛ける切り欠きと紐を掛止するスリットを形成した紐結合部材が開示されている。
【先行技術文献】
【特許文献】
【０００７】
【特許文献１】特開２０１１−１２１６０５号公報
【特許文献２】特開２０１０−７６８３８号公報
【特許文献３】特開２００４−３５１０４号公報
【発明の概要】
【発明が解決しようとする課題】
【０００８】
しかしながら、上記特許文献１では、紐を通す方法が複雑であり、また、結束補助具の材質がゴムや軟質合成樹脂等の軟質材のため、紐を通す際に撓んでしまい扱いにくいという問題があった。
【０００９】
また、特許文献２では、紐を結ぶ際に非力な女性にあっては、十分に結束することができず、紐が緩すぎて運ぶ際に崩れてしまう問題があった。
【００１０】
また、特許文献３では、紐結合部材が新聞紙等を束ねて結束した後は取り外すことなく、ゴミ集積所へ搬出することになるため、その都度一回しか使えず不経済であり、さらに、紐結合部材がプラスチック材の場合には、新聞紙等を再生処理する際に、当該紐結合部材を取り外してから再生処理工程となるため、取外作業工程が増えその分再生処理工程に時間を要するという問題があった。  
【００１１】
本発明は、このような実情に鑑みてなされたもので、被結束物が容易に結束でき、非力な女性にでも確実に結束することができ、しかも何度でも繰り返し使用することのできる結束補助器具を提供することを目的とする。
【課題を解決するための手段】
【００１２】
上記課題を解決するために、本発明の結束補助器具は、円周部位を隆起させた隆起部位を有する皿状の部材であって、前記隆起部位の対抗する箇所にその形状を同一とする第１切込溝と第２切込溝を設けるとともに、第１切込溝と第２切込溝を結ぶ線上と直交する前期隆起部位に第３切込溝と第４切込溝を形成することを特徴とする。
【発明の効果】
【００１３】
本発明によれば、新聞紙、雑誌の他、形状の異なるダンボール、布団及び衣類さらには引越し時に品物を入れたダンボール箱等の被結束物を容易に結束することができ、また、結束補助器具の構造やその使用方法も簡単であるため、非力な女性でも容易に使用することができ、確実に堅固に被結束物を結束することができる。
しかも何度でも繰り返し使用することができことから、その都度買え揃えておく必要もなく経済的であり、再処理の際にも取外作業が不要となり再処理工程の時間短縮にも貢献することができる。
【図面の簡単な説明】
【００１４】
【図１】は本発明に係る結束補助器具を示す斜視図である。
【図２】は本発明に係る結束補助器具を示す平面図である。
【図３】は本発明に係る結束補助器具の使用手順を示す図である。
【図４】は本発明に係る結束補助器具の使用手順を示す図である。
【図５】は本発明に係る結束補助器具を用いて新聞紙を結束する使用手順を示す図である。
【図６】は本発明に係る結束補助器具を用いて新聞紙を結束する使用手順を示す図である。
【図７】は本発明に係る結束補助器具を用いて新聞紙を結束する使用手順を示す図である。
【図８】は本発明に係る結束補助器具を用いて新聞紙を結束する使用手順を示す図である。
【図９】は本発明に係る結束補助器具を用いて新聞紙を結束する使用手順を示す図である。
【発明を実施するための最良の形態】
【００１５】
以下、本発明を実施するための最良の実施形態について説明する。
【００１６】
図１、図２に本発明の実施形態の一例の結束補助器具を示す。
結束補助器具Ａは、円形皿状部材Ｂと当該皿状部材Ｂの円周側を隆起させた隆起部位Ｃと、当該隆起部位Ｃに設けられた複数の溝Ｄから構成されている。
なお、結束補助器具Ａのサイズの一例を示すと、直径は約７ｃｍ〜８cm、隆起部位の高さが約５mmで、その材質はプラスチック等の合成樹脂の射出成型による成型品または金属性の平板のプレス成型による製品である。また、溝Ｄは紐が差し込むことのできる程度の縦溝となる。
【００１７】
前記複数の溝Ｄは、それぞれが相互に対向し、その溝形状も同一とする第１切込溝１と第２切込溝２を有し、さらに当該第１切込溝１と第２切込溝２を結ぶ線上と直交する位置の隆起部位Ｃに、それぞれ対向する第３切込溝３と第４切込溝４が形成されている。当該第１切込溝１から第４切込溝４の溝形状は同一形状、同一深さの縦溝となっている。
【００１８】
さらに、前記隆起部位Ｃには、前記第１切込溝１から第４切込溝４とは別の位置に、第５切込溝５、第６切込溝６、第７切込溝７、第８切込溝８が設けられている。当該第５切込溝５、第６切込溝６、第７切込溝７、第８切込溝８は、前記第１切込溝１から第４切込溝４の溝を設けた方法と同様の方法で設けられている。即ち、隆起部位Ｃに、第５切込溝５と第６切込溝６が、それぞれが相互に対向し、その溝形状も同一形状を成し、さらに当該第５切込溝５と第６切込溝６を結ぶ線上と直交する位置の隆起部位Ｃに、それぞれ対向する第７切込溝７と第８切込溝８が形成されている。なお、第５切込溝５から第８切込溝８の溝形状は同一であるが、第１切込溝１から第４切込溝４の溝形状とは異なり小溝形状である。これにより、本発明の結束補助器具Ａ一個で異種類の太さの紐を使用することができる。
【００１９】
本発明の結束補助器具を用いた被結束物の結束方法について説明する。
【００２０】
先ず、図３、図４に示すように、紐Ｅを結束補助器具Ａの溝第１切込溝１と第２切込溝２に通して当該溝１，２内に差し込み（図３参照）、さらに当該紐Ｅを第３切込溝３と第４切込溝４に通して、当該溝３，４内に差し込むと、輪Ｆが形成される（図４参照）。
【００２１】
そして、前記図４の如き状態の結束補助器具Ａの上に新聞紙等の被結束物Ｇを載せ、紐Ｅの輪Ｆ部分を被結束物Ｇの角の部分にかける（図５参照）。
【００２２】
次に、図６に示すように、被結束物Ｇの角にかけて輪になっている紐Ｅの部分に、第４切込溝４を通した紐Ｅの先端部Ｅ１を潜らせる
【００２３】
その後、図７に示すように、第１切込溝１側の紐Ｅ２と紐Ｅの輪Ｆに潜らせた紐Ｅの先端部Ｅ１との２本を引っ張り、被結束物Ｇを紐Ｅで結束する。
【００２４】
被結束物Ｇを紐Ｅで結束した状態で被結束物Ｇを裏返すと、図８に示すように、被結束物Ｇは結束補助器具Ａを介して紐Ｅによって結束された状態となる。
【００２５】
そして、図９に示すように、被結束物Ｇを裏返した状態で、被結束物Ｇから結束補助器具Ａを取り外し、余っている紐Ｅの部分を切る。
その後、紐Ｅは結束補助器具Ａの溝に差し込まれているだけのため、結束補助器具Ａを手で引っ張れば紐Ｅから簡単に取り外すことができる。
【００２６】
なお、本発明の結束補助器具Ａを用いれば、新聞紙や雑誌の他、形状の異なるダンボール、布団や衣類、さらには引越し時等の品物を入れたダンボール箱等も結束することができ、しかも何度でも繰り返し使用することができる。
【００２７】
また、本発明の結束補助器具Ａには、溝の大きさの異なる２種類の溝（第１切込溝１から第４切込溝４と第５切込溝５から第８切込溝８）を設けているが、これは市販されている紐の太さが数種類あるため、頻繁に被結束物Ｇに使用される紐Ｅを２種類に分け、その紐の差し込む溝も２種類に分けて、結束補助器具Ａに設けることで、使い勝手が極めて良くなる。
さらに、本発明の結束補助器具Ａと溝の異なる結束補助器具を２〜３個用意すれば市販されている紐のほとんどに対応することができる。  
【符号の説明】
【００２８】
Ａ      結束補助器具
Ｂ      円形皿状部材
Ｃ      隆起部位
Ｄ      溝
Ｅ      紐
Ｅ１    紐の先端部
Ｅ２    第１切込溝１側の紐
Ｆ      輪
Ｇ      被結束物
１      第１切込溝
２      第２切込溝
３      第３切込溝
４      第４切込溝
５      第５切込溝
６      第６切込溝
７      第７切込溝
８      第８切込溝
【図１】
2013060203.tif 000003
【図２】
2013060203.tif 000004
【図３】
2013060203.tif 000005
【図４】
2013060203.tif 000006
【図５】
2013060203.tif 000007
【図６】
2013060203.tif 000008
【図７】
2013060203.tif 000009
【図８】
2013060203.tif 000010
【図９】
2013060203.tif 000011